(57)【要約】【課題】工具を必要とすることなく、配管を支持することができる構成が簡易なパイプハンガーを提供する。【解決手段】配管を挟持するために半円弧状に形成されて下端部において互いに回動自在に連結される一対の挟持部２１，２２、及び、該挟持部２１，２２の上方に連なる被係止部３１，３２、を有する挟持体４と、その挟持体４の一方の被係止部３１を係脱自在かつ脱落不能に係止させる一方の係止部５１、及び、前記挟持体４の他方の被係止部３２を係脱自在に係止させる他方の係止部５２、両方の係止部５１，５２の上方に連なり建屋に取り付けられた支持部材に固定可能な固定部６、を有する吊持部材７と、を備え、さらに、他方の係止部５２には、他方の被係止部３２の係止状態をロックするための回動自在なロック部材１０が設けられる。【選択図】  図１
2005133808.tif 000002
【特許請求の範囲】
【請求項１】
下部において互いに回動自在に連結されて配管を挟持する一対の挟持部、及び、該挟持部の上方に連なる被係止部、を有する挟持体と、
前記挟持体の一方の被係止部を係脱自在かつ脱落不能に係止させる一方の係止部、前記挟持体の他方の被係止部を係脱自在に係止させる他方の係止部、及び、両方の前記係止部の上方に連なり建屋に取り付けられた支持部材に固定可能な固定部、を有する吊持部材と、を備え、
さらに、前記他方の係止部には、前記他方の被係止部の係止状態をロックするためのロック部材が設けられることを特徴とするパイプハンガー。
【請求項２】
前記両方の係止部は互いに重ね合わされ、前記両方の被係止部は、前記両方の係止部の外側に係止されることを特徴とする請求項１に記載のパイプハンガー。
【請求項３】
前記両方の係止部は所定の間隔をおいて平行に設けられ、前記両方の被係止部は、前記両方の係止部の外側に係止されることを特徴とする請求項１に記載のパイプハンガー。
【請求項４】
一方の前記挟持部における他方の前記挟持部との連結部には、配管を仮受けするための受け部材が設けられることを特徴とする請求項１乃至３の何れかに記載のパイプハンガー。
【請求項５】
前記吊持部材の一方の係止部には、上向きに折曲された係止片が形成され、前記挟持体の一方の被係止部には開口が形成され、前記開口の上縁が前記係止片に係止されることを特徴とする請求項１乃至４の何れかに記載のパイプハンガー。
【請求項６】
前記上向きに折曲された係止片の上部は、前記一方の被係止部に形成された開口の前記係止片への係止を容易とするために外開き状に形成されたことを特徴とする請求項５に記載のパイプハンガー。
【請求項７】
前記ロック部材には、前記他方の係止部に突設した突子を遊嵌させる円弧状のガイド溝が形成され、該ガイド溝の両端には、前記他方の被係止部の係止状態をロックするロック位置と、前記係止状態をアンロックするロック解除位置と、に前記ロック部材を掛止させるための掛止部を形成したことを特徴とする請求項１乃至６の何れかに記載のパイプハンガー。
【請求項８】
前記突子は前記ロック部材に突設され、該突子を遊嵌させる円弧状のガイド溝が前記他方の係止部に形成され、該ガイド溝の両端には、前記他方の被係止部の係止状態をロックするロック位置と、前記係止状態をアンロックするロック解除位置と、に前記ロック部材を掛止させるための掛止部を形成したことを特徴とする請求項１乃至６の何れかに記載のパイプハンガー。
【発明の詳細な説明】
【技術分野】
【０００１】
本発明は、集合住宅等の建屋の天井裏等に配設される配管を吊持するためのパイプハンガーに関する。
【背景技術】
【０００２】
建屋の天井裏等に配設される給排水用等の配管は、従来、例えば、図５に示すようなパイプハンガーで吊持されていた。このパイプハンガー５１は、配管（図示省略）を挟持するためにヒンジ５９によって互いに連結された一対の挟持部５２，５２、及び、その挟持部５２，５２の上方に連なる吊り下げ部５３，５３、を有する挟持体５４と、建屋に取り付けられる吊り具５５と、その吊り具５５に、両挟持体５４，５４を連結固定するためのボルト５６及びナット５７と、を備えている。
【０００３】
このようなパイプハンガー５１では、例えば、まず、建屋に取り付けられた支持部材に設けられているアンカーボルトにフランジ付きナット５８を螺合締結することにより、吊り具５５の上部を支持部材に固定する。次いで、両挟持部５２，５２間に配設を挟持させて、ボルト５６とナット５７を締結するようにして施工される。
【発明の開示】
【発明が解決しようとする課題】
【０００４】
上述のような従来のパイプハンガー５１は、ボルト５６やナット５７等の締結部材を必要として部品点数が多い上に、現場での施工性がよくないという難点がある。即ち、施工に際しては、上述のボルト５６とナット５７を締結するための工具が必ず必要とされ、かつ、その締結作業は、通常、足場を必要とする高所や狭隘な場所で行われるため、容易でない場合が多かった。そのために、部材費を含めたトータルでの施工コストが高くなるという問題があった。また、施工時に、ボルト５６やナット５７が脱落するようなことも懸念される。
【０００５】
本発明は、このような実情に鑑みてなされ、工具を必要とすることなく、配管を吊持することができる施工作業性が良好で構成が簡易なパイプハンガーを提供することを目的とする。
【課題を解決するための手段】
【０００６】
本発明に係るパイプハンガーは、下部において互いに回動自在に連結されて配管を挟持する一対の挟持部、及び、該挟持部の上方に連なる被係止部、を有する挟持体と、前記挟持体の一方の被係止部を係脱自在かつ脱落不能に係止させる一方の係止部、前記挟持体の他方の被係止部を係脱自在に係止させる他方の係止部、及び、両方の前記係止部の上方に連なり建屋に取り付けられた支持部材に固定可能な固定部、を有する吊持部材と、を備え、さらに、前記他方の係止部には、前記他方の被係止部の係止状態をロックするためのロック部材が設けられることを特徴とする。
【０００７】
このような構成により、建屋の支持部材に固定された吊持部材の一方の係止部に、挟持体の一方の被係止部を係止させた後、両挟持部間に配管を挟持させて、挟持体の他方の被係止部を吊持部材の他方の係止部に係止させ、その係止状態をロック部材によってロックすれば、配管をパイプハンガーに安定に吊持させることができる。
【０００８】
このようなパイプハンガーでは、両方の係止部を互いに重ね合わせ、前記両方の被係止部を、前記両方の係止部の外側に係止させるようにしてもよい。
【０００９】
また、両方の係止部を所定の間隔をおいて平行に設け、前記両方の被係止部を、前記両方の係止部の外側に係止させるようにしてもよい。
【００１０】
そして、一方の前記挟持部における他方の前記挟持部との連結部には、配管を仮受けするための受け部材を設けてもよい。
【００１１】
さらに、吊持部材の一方の係止部には、上向きに折曲された係止片を形成し、前記挟持体の一方の被係止部には開口を形成し、前記開口の上縁が前記係止片に係止されるようにしてもよい。
【００１２】
あるいは、上向きに折曲された係止片の上部を、前記一方の被係止部に形成された開口の前記係止片への係止を容易とするために外開き状に形成してもよい。
【００１３】
また、ロック部材には、前記他方の係止部に突設した突子に遊嵌する円弧状のガイド溝を形成し、該ガイド溝の両端には、前記他方の被係止部の係止状態をロックするロック位置と、前記係止状態をアンロックするロック解除位置と、に前記ロック部材を掛止させるための掛止部を形成してもよい。
【００１４】
あるいは、突子をロック部材に突設させ、該突子を遊嵌させる円弧状のガイド溝を前記他方の係止部に形成し、該ガイド溝の両端には、前記他方の被係止部の係止状態をロックするロック位置と、前記係止状態をアンロックするロック解除位置と、に前記ロック部材を掛止させるための掛止部を形成してもよい。
【発明の効果】
【００１５】
本発明に係るパイプハンガーは、建屋の支持部材に固定された吊持部材の一方の係止部に挟持体の一方の被係止部を係止させた後、両挟持部間に配管を挟持させて、挟持体の他方の被係止部を吊持部材の他方の係止部に係止させ、その係止状態をロック部材によってロックすれば、配管をパイプハンガーに安定に吊持させることができる。従って、工具を要することなく、施工性が著しく向上する。また、従来のような締結部材を別途必要としないため、部品点数が少なくなり、安価に提供することができる。そして、施工作業中に部品が脱落するようなこともなく、作業中の安全性が向上する。
【発明を実施するための最良の形態】
【００１６】
以下に、本発明の最良の実施の形態に係るパイプハンガーについて図面を参照しつつ詳細に説明する。
【００１７】
〔実施の形態１〕
図１（ａ）はパイプハンガー１Ａの正面図、図１（ｂ）は左側面図、図１（ｃ）は右側面図、図１（ｄ）は要部平面図を示す。これらの図に示すように、このパイプハンガー１Ａは、基本的には、配管（図示省略）を挟持するための挟持体４と、建屋に取り付けられた支持部材（図示省略）に固定される吊持部材７と、で構成される。
【００１８】
その挟持体４は、所定幅の板金材の曲げ加工により対向し合う半円弧状に形成されて下端部においてヒンジ１３により相対回動自在に連結される一対の挟持部２１，２２、及び、該挟持部２１，２２の上方に連なる被係止部３１，３１を有し、両挟持部２１，２２には外突状の補強リブ２１ａ，２２ａを形成して配管の保持強度の向上が図られている。
【００１９】
他方、吊持部材７は、所定幅の板金材の中央に平坦部分を残して、その両側を下方に折曲して、さらに略Ｙ字状に屈曲させて、その下部を二枚合わせとされ、挟持体４の両被係止部３１，３２を係脱自在に係止させる係止部５１，５２、及び、該係止部５１，５２の上方に連なる固定部６を有する。
【００２０】
そして、中央の平坦部分には孔部６ａを形成し、その孔部６ａに下方からフランジ付きのナット１４を挿入して、吊持部材７の両側壁７１，７１の一部分を内方に突出させて、その両内突部６ｂ、６ｂでナット１４のフランジ部１４ａの下部を支持させている。このナット１４を、建屋の天井裏等に取り付けられた支持部材に嵌め込まれているアンカーボルト（図示省略）に螺合締結することで吊持部材７を建屋に固定することができる。
【００２１】
上述の吊持部材７の係止部５１，５２は、互いに重ね合わされ、前記両被係止部３１，３２は、前記両係止部５１，５２の外側に係止される。両係止部５１，５２は、それぞれ矩形状の開口８１，８２を有し、挟持体４の一方の被係止部３１は、一方の係止部５１の開口８１に係止される被係止片９１を有し、その被係止片９１は、被係止部３１の一部分を切り起こして上向きに折曲され、かつ、その上部が外開き状に形成されている。
【００２２】
このような構成により、一方の係止部５１の開口８１を、外側から一方の被係止片９１に嵌め込むことで、その開口８１の上縁を一方の被係止片９１に対して、係脱自在かつ脱落不能に係止させることができる。また、その際に、一方の被係止片９１の開口８１の嵌め込み作業が容易となる。
【００２３】
挟持体４の他方の被係止部３２は、吊持部材７の他方の係止部５２に形成した被係止片９２に被嵌係止される開口８２を有し、その被係止片９２は、被係止部３２の一部分を９０°切り起こして横向きに折曲されている。その他方の係止部５２には、他方の被係止部３２の係止状態をロックするための回動自在なロック部材１０が設けられている。
【００２４】
このロック部材１０は、リベット１２により、二枚合わせの係止部５１，５２に対して回動自在に支持されており、ロック部材１０には、他方の係止部５２に突設した突子５２ａに遊嵌する円弧状のガイド溝１１が形成され、該ガイド溝１１の両端には、図２（ａ）（ｂ）に拡大して示すように、他方の被係止部３２の係止状態をロックするロック位置（１１ａ）と、その係止状態をアンロックするロック解除位置（１１ｂ）と、にロック部材１０を掛止させるための溝幅よりも若干径大に形成した掛止部１１ａ，１１ｂを設けている。なお、突子５２ａをロック部材１０に形成し、ガイド溝１１を他方の係止部５２に形成してもよい。
【００２５】
そのロック部材１０は、リベット１２に対して若干の揺動動作が可能となるように、リベット１２よりも若干径大なリベット孔を有し、図２（ａ）に示すロック位置（１１ａ）又は、図２（ｂ）に示すロック解除位置（１１ｂ）において、その自重で掛止部１１ａ又は１１ｂが突子５２ａに乗載し、それぞれ掛止（ロック）されるように構成されている。
【００２６】
このようなロック状態は、たとえ不用意にロック部材１０を回動させるような外力がロック部材１０に作用しても、容易に解除されることはなく安定に保持される。従って、図１（ａ）及び図２（ａ）に示すように、他方の被係止部３２に係止させた他方の係止部５２をロック部材１０によって外側から押さえ込み、そのロック状態を安定に保持することができる。
【００２７】
このロック状態を解除するためには、ロック部材１０の端部に設けた操作片１０ａを把持して、ロック部材１０を若干持ち上げ、反時計回りに回動させればよい。そして、略９０°回動させた時点で、再び、ロック部材１０を落とし込めば、図２（ｂ）に示すロック解除位置（１１ｂ）で、掛止部１１ｂを突子５２ａに乗載させることにより、ロック部材１０を安定に保持させることができる。
【００２８】
以上のように構成されるパイプハンガー１Ａでは、まず、建屋の支持部材に固定された吊持部材７の一方の被係止片９１に対して、一方の係止部５１の開口８１を、外側から嵌め込むことで、その開口８１の下縁を一方の被係止片９１に対して、係脱自在かつ脱落不能に係止させる。
【００２９】
次いで、両挟持部２１，２２間に配管を挟持させて、挟持体４の他方の被係止部３２の開口８２を、吊持部材７の他方の被係止片９２に係止させ、その係止状態をロック部材１０によってロックすれば、配管をパイプハンガーに安定な状態で吊持させることができる。
【００３０】
従って、工具を要することなく、また、熟練を要することもなく、容易にパイプハンガーを吊持することができ、施工性が著しく向上する。また、従来のような締結部材を別途必要としないため、部品点数が少なくなり、パイプハンガー１Ａを安価に提供することができ、部材費を含めたトータルでの施工コストを著しく低減することができる。なお、図示は省略するが、ロック部材１０を、吊持部材７に対してスライド自在に取り付けてもよい。
【００３１】
また、建屋の支持部材に固定された吊持部材７の一方の被係止片９１に対して、一方の係止部５１の開口８１を、外側から嵌め込んだ状態にて、配管を一方の挟持部２１に安定に保持させるために、例えば、図３に示すように、ヒンジ１３の内側に配管を仮受けするための板部材からなる受け部材１５を設けるのが好ましい。
【００３２】
〔実施の形態２〕
図４（ａ）はパイプハンガー１Ｂの正面図、図４（ｂ）は左側面図、図４（ｃ）は右側面図、図４（ｄ）は要部平面図を示す。本実施の形態２では、吊持部材７の両側壁７１，７１を平坦状に形成して互いに所定の間隔をおいて平行に対向させ、挟持体４の両被係止部３１，３２を、吊持部材７の両側壁７１，７１の外側に付勢状態で外挿されるように、所定の間隔をおいて平行に形成している点が、実施の形態１のパイプハンガー１Ａと異な            る。
【００３３】
この場合においても、実施の形態１と同様に、建屋の支持部材に固定された吊持部材７の一方の被係止片９１に対して、一方の係止部５１の開口８１を、外側から嵌め込むことで、その開口８１の下縁を一方の被係止片９１に対して、係脱自在かつ脱落不能に係止させ、次いで、両挟持部２１，２２間に配管を挟持させて、挟持体４の他方の被係止部３２の開口８２を、吊持部材７の他方の被係止片９２に係止させ、その係止状態をロック部材１０によってロックすれば、配管をパイプハンガーに安定な状態で吊持させることができる。
【００３４】
従って、工具を要することなく、また、熟練を要することもなく、容易にパイプハンガーを吊持することができ、施工性が著しく向上する。また、従来のような締結部材を別途必要としないため、部品点数が少なくなり、パイプハンガー１Ｂを安価に提供することができ、部材費を含めたトータルでの施工コストを著しく低減することができる。なお、この場合においても、実施の形態１と同様に、ヒンジ１３の内側に配管を仮受けするための受け部材１５を設けるのが好ましい。
【図面の簡単な説明】
【００３５】
【図１】本発明の実施の形態１に係るパイプハンガーの構成説明図で、（ａ）は正面図、（ｂ）は左側面図、（ｃ）は右側面図、（ｄ）は平面図である。
【図２】同ロック部材の動作説明図で、（ａ）はロック状態、（ｂ）はロック解除状態の説明図である。
【図３】同受け部材の取り付け状態の説明図である。
【図４】同実施の形態２に係るパイプハンガーの構成説明図で、（ａ）は正面図、（ｂ）は左側面図、（ｃ）は右側面図、（ｄ）は平面図である。
【図５】従来のパイプハンガーの構成の一例を示す説明図である。
【符号の説明】
【００３６】
１０…ロック部材、１１…ガイド溝、１１ａ，１１ｂ…掛止部、１５…受け部材、２１，２２…挟持部、３１，３２…被係止部、４…挟持体、５１，５２…係止部、６…固定部、７…吊持部材、８１…開口、９１…係止片
【図１】
2005133808.tif 000003
【図２】
2005133808.tif 000004
【図３】
2005133808.tif 000005
【図４】
2005133808.tif 000006
【図５】
2005133808.tif 000007